(57)【要約】【課題】地上設備を用いることなく、列車の停車中における流転を検知することである。【解決手段】流転検知装置２７は、列車の車上に設けられる流転検知装置であって、列車の車軸の歯車ＧＥ１の回転を検知し当該回転の検知情報を出力する回転検知部６０と、回転の検知情報から列車の停車中における流転を検知し当該流転の検知情報を出力する流転検知部７０と、を備える。【選択図】図３
2020058157.tif 000002
【特許請求の範囲】
【請求項１】
列車の車上に設けられる流転検知装置であって、
前記列車の車軸の歯車の回転を検知し当該回転の検知情報を出力する回転検知手段と、
前記回転の検知情報から前記列車の停車中における流転を検知し当該流転の検知情報を出力する流転検知手段と、を備える流転検知装置。
【請求項２】
前記流転検知手段は、前記列車の停車に応じてハイとなり、前記流転の検知に応じてローとなる流転の検知情報を出力する請求項１に記載の流転検知装置。
【請求項３】
前記流転検知手段は、前記流転の検知後、当該流転の検知を示す流転の検知情報の出力を保持する請求項１又は２に記載の流転検知装置。
【請求項４】
前記流転検知手段は、前記回転の検知情報から前記列車の停車後の回転の変化量を計数し、当該回転の変化量を出力する請求項１に記載の流転検知装置。
【請求項５】
請求項１から３のいずれか一項に記載の流転検知装置を有する車上装置と、当該車上装置に電源電力を供給する第１の電力供給手段と、を備え、
前記流転検知装置は、
前記回転検知手段及び前記流転検知手段に電源電力を供給する第２の電力供給手段と、
前記回転の検知情報に基づく前記列車の停車後、前記第１の電力供給手段の電力供給のオフ時に、前記流転の検知情報に応じて、前記第２の電力供給手段に前記回転検知手段及び前記流転検知手段へ電源電力を供給させる電力供給制御手段と、を備える車上システム。
【請求項６】
前記電力供給制御手段は、前記回転の検知情報に基づく前記列車の停車後に、前記第１の電力供給手段の電力供給により前記第２の電力供給手段を充電し、当該第１の電力供給手段の電力供給のオフ後に、前記第２の電力供給手段に前記回転検知手段及び前記流転検知手段へ電源電力を供給させる請求項５に記載の車上システム。
【請求項７】
前記車上装置は、
前記流転の検知情報から当該流転の発生の有無を示す流転の判定情報を生成する生成手段と、
前記生成された流転の判定情報を、無線通信により地上側装置へ送信する送信手段と、を備える請求項５又は６に記載の車上システム。
【発明の詳細な説明】
【技術分野】
【０００１】
本発明は、流転検知装置及び車上システムに関する。
【背景技術】
【０００２】
従来、列車信号制御システムでは、列車の在線位置を軌道回路やトランスポンダ地上子を用いて把握する方式のＡＴＣ（Automatic Train Control：自動列車制御）システムが一般的に使われていた。また、車上装置の位置認識を主体に列車制御を行う無線式ＡＴＣシステムも使われている。無線式ＡＴＣシステムでは、地上の軌道回路を使わない点で設備をスリム化できるメリットがある。
【０００３】
無線式ＡＴＣシステムとして、列車の送信器から複数のＬＣＸ（Leaky Coaxial Cable：漏洩同軸ケーブル）へ送信された所定受信レベル以上の電磁波の検出回数に応じて、当該列車の在線位置を検知する列車在線検知装置が知られている（特許文献１参照）。
【先行技術文献】
【特許文献】
【０００４】
【特許文献１】特開昭６１−１７８２６０号公報
【発明の概要】
【発明が解決しようとする課題】
【０００５】
上記のＬＣＸを使用した無線式ＡＴＣシステムや空間波を使った無線式ＡＴＣシステムでは、軌道回路による列車検知の仕組みを持たないため、列車を夜間留置する際などに車両電源が断たれる条件や車両電源が再起動した条件において、車上装置の位置認識が途切れるため、列車の留置場所への停車後の移動（流転）を検知するバックアップ手段を設けることが必要であった。流転とは、ブレーキのかかっていない車両（列車）が勾配をくだることである。
【０００６】
上記バックアップ手段としては、列車制御システム内の留置車両の電源が断たれても、車両ＩＤと在線位置とを継続して把握する手段として、留置場所に軌道回路や輪重センサを設け、列車制御システムの在線管理機能と連携させたバックアップ設備を構築する方式のバックアップ手段がある。しかし、軌道回路や輪重センサの専用の地上設備を置くことで新た保守が必要となる点や、列車の留置位置に設備上の制約が生まれるため、運用の柔軟性に欠けるおそれがあった。
【０００７】
また、他の上記バックアップ手段としては、留置時の電源を確保に使用する車上装置専用のサブバッテリと車両ＩＤ情報を送信するためのトランスポンダ送信部、車上子とを設け、且つ留置場所に在線管理機能に連携した専用地上子を設置する方式のバックアップ手段がある。しかし、トランスポンダ送信部、車上子の専用の車両機器と専用地上子の地上設備とを設けることで新たに保守が必要になる点や列車の留置位置に設備上の制約が生まれるため、運用の柔軟性に欠けるおそれがあった。
【０００８】
本発明の課題は、地上設備を用いることなく、列車の停車中における流転を検知することである。
【課題を解決するための手段】
【０００９】
上記課題を解決するために、本出願に係る発明は、列車の車上に設けられる流転検知装置であって、
前記列車の車軸の歯車の回転を検知し当該回転の検知情報を出力する回転検知手段と、
前記回転の検知情報から前記列車の停車中における流転を検知し当該流転の検知情報を出力する流転検知手段と、を備える。
【００１０】
また、望ましくは、前記流転検知手段は、前記列車の停車に応じてハイとなり、前記流転の検知に応じてローとなる流転の検知情報を出力する。このため、流転検知装置の故障や、流転の発生後の初期状態（再起動）において、流転の検知情報が、流転の発生側（障害側）に働きフェイルセーフで機能できる。
【００１１】
また、望ましくは、前記流転検知手段は、前記流転の検知後、当該流転の検知を示す流転の検知情報の出力を保持する。このため、流転の検知後に再度停車したとしても、流転の検知情報が流転の検知状態のまま保持され、発生した流転の発生を正確に検知できる。
【００１２】
また、望ましくは、前記流転検知手段は、前記回転の検知情報から前記列車の停車後の回転の変化量を計数し、当該回転の変化量を出力する。
【００１３】
また、本出願に係る発明の車上システムは、前記車上装置と、当該車上装置に電源電力を供給する第１の電力供給手段と、を備え、
前記流転検知装置は、
前記回転検知手段及び前記流転検知手段に電源電力を供給する第２の電力供給手段と、
前記回転の検知情報に基づく前記列車の停車後、前記第１の電力供給手段の電力供給のオフ時に、前記流転の検知情報に応じて、前記第２の電力供給手段に前記回転検知手段及び前記流転検知手段へ電源電力を供給させる電力供給制御手段と、を備える。
【００１４】
また、望ましくは、前記電力供給制御手段は、前記回転の検知情報に基づく前記列車の停車後に、前記第１の電力供給手段の電力供給により前記第２の電力供給手段を充電し、当該第１の電力供給手段の電力供給のオフ後に、前記第２の電力供給手段に前記回転検知手段及び前記流転検知手段へ電源電力を供給させる。
【００１５】
また、望ましくは、前記車上装置は、
前記流転の検知情報から当該流転の発生の有無を示す流転の判定情報を生成する生成手段と、
前記生成された流転の判定情報を、無線通信により地上側装置へ送信する送信手段と、を備える。
【発明の効果】
【００１６】
本発明によれば、地上設備を用いることなく、列車の停車中における流転を検知できる。
【図面の簡単な説明】
【００１７】
【図１】本発明の実施の形態の列車制御システムを示すシステム構成図である。
【図２】車上システムを示すブロック図である。
【図３】流転検知装置の構成を示す回路図である。
【図４】列車の留置に伴う各種状態を示すタイミングチャートである。
【発明を実施するための形態】
【００１８】
以下、添付図面を参照して本発明に係る実施の形態及び変形例を詳細に説明する。なお、本発明は、図示例に限定されるものではない。
【００１９】
（実施の形態）
図１〜図４を参照して、本発明に係る実施の形態を説明する。まず、図１を参照して、本実施の形態の列車制御システム１の全体構成を説明する。図１は、本実施の形態の列車制御システム１を示すシステム構成図である。
【００２０】
図１に示すように、ＬＣＸの無線式の列車制御システム１は、軌道１０に沿って敷設された信号伝送路兼送受信アンテナとしてのＬＣＸケーブル１１Ａ，１１Ｂと、軌道１０上を走行する列車１２に搭載されている車上システム２と、所定駅の機器室などに設置されＬＣＸケーブル１１Ａ，１１Ｂを介して列車１２の車上装置２０との間でデータの送受信を行う地上側装置３０と、を備える。車上システム２は、車上装置２０を有する。
【００２１】
車上装置２０は、ＬＣＸケーブル１１Ａ，１１Ｂとの間で無線によるデータの送受信を行う送信手段としての無線通信部（移動局）２１と、受信したデータを処理したり自列車の位置などの情報を送信するための処理及び車上側システムの制御を行う生成手段としてのＡＴＣ車上制御装置２２と、列車１２の流転を検知して流転の検知情報をＡＴＣ車上制御装置２２に出力する流転検知装置２７と、を備える。
【００２２】
地上側装置３０は、ＬＣＸケーブル１１Ａ，１１Ｂをアンテナとして無線によるデータの送受信を行う無線通信部（基地局）３１と、列車停止位置の算出や車上からの列車位置情報等を管理するＡＴＣ論理部３２などから構成される。
【００２３】
また、地上側装置３０には中継装置３３を介してＬＣＸケーブル１１Ａ，１１Ｂが接続されている。無線通信部（基地局）３１は、ＬＣＸケーブル１１Ａ，１１Ｂへ音声信号とともに列車制御情報を含む信号を送信し続ける。なお、地上側装置３０の無線通信部（基地局）３１は、無線通信のための変復調機能を有している。地上側装置３０のＡＴＣ論理部３２は、ＣＰＵ（Central Processing Unit：中央演算処理装置）等の演算処理装置や、ＲＯＭ（Read Only Memory）やＲＡＭ（Random Access Memory）等のデータ記憶装置などから構成される。
【００２４】
本実施の形態においては、上記地上側装置３０に、列車ダイヤなどの情報を記憶し走行中の全列車の位置を把握し列車の運行を管理するサーバや該サーバに接続された指令用端末などからなる列車運行管理システム４０が伝送路もしくは通信網を介して接続されている。
【００２５】
なお、上記列車運行管理システム４０としては、在来線や新幹線（登録商標）等で既に導入されているシステムを利用することができる。また、列車運行管理システム４０は、駅ごとに設置され駅ごとの情報を集積する駅装置と、各駅装置からの情報を集積する中央装置等で構成される。駅装置は軌道回路等から列車の在線情報を取得しており、中央装置は各駅装置からの情報を集積することで線区全体の在線状況を把握しているので、列車運行管理システム４０はリアルタイム性のある列車位置情報を取得して指令用端末に表示することができる。
【００２６】
ついで、図２を参照して、車上システム２の詳細な装置構成を説明する。図２は、車上システム２を示すブロック図である。
【００２７】
図２に示すように、車上システム２は、車上装置２０と、第１の電力供給手段としての電源部５０と、を備える。車上装置２０は、送信データで送信波を変調したりアンテナＡＴで受信した信号を復調したりする変復調部２１Ａ、及び受信データの分離や送受信データの合成を行う分離・合成部２１Ｂを備えた無線通信部（移動局）２１と、ＡＴＣ車上制御装置２２と、ブレーキ制御装置２３と、軌道上に設置されている地上子との間でデータの送受信を行う車上子２４ａを備えた送受信器（以下、車上子と略す）２４と、車軸に設けられた速度発電機２５と、列車無線通話器２６と、流転検知装置２７と、を有する。
【００２８】
分離・合成部２１Ｂは、受信信号に含まれる通話音声データと制御データ（停止位置情報や臨時速度制限情報等）を分離したり、送信側の通話音声データと列車位置データなどのデータを合成したりする機能を備え、分離・合成部２１Ｂで分離された通話音声データは、乗務員席に設けられている列車無線通話器２６へ伝送される。
【００２９】
ＡＴＣ車上制御装置２２は、速度発電機２５からの信号に基づいて車軸回転数と車輪径との積から走行距離を算出して自列車の位置を演算するとともに、地上子を通過する際に車上子２４ａによって受信した情報に基づいて自列車の位置を修正する機能を備える。そして、自列車の位置情報は、無線通信部（移動局）２１によって地上側装置（基地局）３０へ送信される。車上子２４ａが地上子から受信する情報は、地上子自身の設置位置情報（キロ程）や指定区間の残距離でも良いし、地上子の識別コードでも良い。受信する情報が地上子の識別コードの場合には、地上子の識別コードと設置位置情報との対応表を車上の記憶装置に予め格納しておいて、この対応表を参照することで自列車の位置を修正することができる。
【００３０】
また、ＡＴＣ車上制御装置２２は、ＣＰＵ等の演算処理装置や、ＲＯＭやＲＡＭ等のデータ記憶装置などから構成されており、受信した停止位置情報や臨時速度制限情報を受信すると記憶装置から速度照査パターンを読み出し、速度照査パターンと自列車の速度情報、自列車位置情報を比較しながらブレーキ制御信号を生成する。なお、図示しないが、ＡＴＣ車上制御装置２２には、運転席のブレーキノッチからの信号も入力され、ブレーキノッチ信号に応じたブレーキ力を算出しブレーキ制御装置２３へ制御信号を出力する。
【００３１】
また、ＡＴＣ車上制御装置２２は、流転検知装置２７からの流転の検知信号に応じて、列車１２の留置位置（留置場所）への停車後の流転の発生を管理する。
【００３２】
電源部５０は、列車１２の架線（図示略）から高圧の電圧変換回路などを介して供給される電力が充電されるバッテリーなどの電源部であり、充電された電力を車上装置２０の各部に電力供給する。
【００３３】
ついで、図３を参照して、流転検知装置２７の詳細な構成を説明する。図３は、流転検知装置２７の構成を示す回路図である。
【００３４】
図３に示すように、流転検知装置２７は、回転検知手段としての回転検知部６０と、流転検知手段としての流転検知部７０と、を備える。回転検知部６０は、３つの速度センサ６１１，６１２，６１３と、分配回路６２と、を有する。速度センサ６１１，６１２，６１３は、磁束センサなどで構成され、列車１２の車軸に動力を伝える歯車ＧＥ１の金属を検知し、例えば歯車ＧＥ１の回転（位置）を示す矩形波の回転検知信号として分配回路６２に出力する。速度センサ６１１，６１２，６１３がそれぞれ出力する歯車ＧＥ１の回転検知信号は、それぞれ９０°の位相差があるものとする。動き速度センサ６１１，６１２，６１３による歯車ＧＥ１の回転検知信号は、歯車ＧＥ１の回転に応じて、例えば（１，１，０）→（０，１，１）→（０，０，１）→（１，０，１）→（１，０，０）→再度（１，１，０）…のように周期的にパターンが変化する。速度センサ６１１，６１２，６１３の回転検知信号のパターン（検知パターン）が変化することにより、列車１２の流転を含む移動が検知できる。
【００３５】
分配回路６２は、フォトカプラなどにより構成され、速度センサ６１１，６１２，６１３から入力された回転検知信号を、ＡＴＣ車上制御装置２２と流転検知部７０とに分配して出力する。
【００３６】
流転検知部７０は、ＰＬＤ（Programmable Logic Device）７１と、ＤＣ／ＤＣコンバータ７２と、整流器７３と、チャージングリレー７４と、抵抗７５と、第２の電力供給手段としての電源キャパシタ７６と、整流器７７と、チャージングリレー７８と、抵抗７９と、接続部８０と、を有する。ＤＣ／ＤＣコンバータ７２、整流器７３、チャージングリレー７４、抵抗７５、整流器７７、チャージングリレー７８、抵抗７９、接続部８０は、電力供給制御手段として機能する。
【００３７】
ＰＬＤ７１は、速度センサ６１１，６１２，６１３から出力され分配回路６２で分配された回転検知信号としての入力信号ＤＩ１，ＤＩ２，ＤＩ３が入力され、（ＤＩ１，ＤＩ２，ＤＩ３）のパターンの変化の有無に応じて、出力信号ＤＯ１を生成してＡＴＣ車上制御装置２２に出力する機能を有するように論理が構成されている。より具体的には、ＰＬＤ７１は、（ＤＩ１，ＤＩ２，ＤＩ３）の検知パターンの変化がある場合（列車１２が走行している又は流転がある場合）に、ローの出力信号ＤＯ１を生成して出力する。また、ＰＬＤ７１は、（ＤＩ１，ＤＩ２，ＤＩ３）の検知パターンの変化がない場合（列車１２が停車した場合）に、（ＤＩ１，ＤＩ２，ＤＩ３）の検知パターンを保持し、ハイの出力信号ＤＯ１を出力する。
【００３８】
ＤＣ／ＤＣコンバータ７２は、電源部５０から供給される直流電力の電圧を変換して、ＰＬＤ７１及び分配回路６２に供給する。また、電源部５０から供給される電力（例えばＤＣ２４［Ｖ］）は、整流器７３、チャージングリレー７４、抵抗７５を介して、電源キャパシタ７６に充電される。整流器７３は、電源部５０側からチャージングリレー７４側への方向に電流を流す。電源キャパシタ７６は、蓄電量が大きいキャパシタであり、例えばスーパーキャパシタ（電気二重層）で構成されている。
【００３９】
整流器７７は、電源部５０と電源キャパシタ７６との間で、整流器７３、チャージングリレー７４、抵抗７５に並列に接続されている。整流器７７は、電源キャパシタ７６側から電源部５０側への方向に電流を流す。チャージングリレー７８及び抵抗７９は、抵抗７５（整流器７７）とグラウンドＧ（接地点）との間で、電源キャパシタ７６に並列に接続されている。
【００４０】
また、ＰＬＤ７１の出力信号ＤＯ１の出力端子は、接続部８０を介してマイナス端子に接続されている。接続部８０は、チャージングリレー７４，７８の入力端子に接続され、出力信号ＤＯ１をチャージングリレー７４，７８に出力する。チャージングリレー７４は、入力される出力信号ＤＯ１がハイで整流器７３の接続端子と抵抗７５の接続端子との２端子間を導通し、出力信号ＤＯ１がローで当該２端子間を開放する。チャージングリレー７８は、入力される出力信号ＤＯ１がハイで整流器７７（抵抗７５）の接続端子と抵抗７９の接続端子との２端子間を開放し、出力信号ＤＯ１がローで当該２端子間を導通する。このように、チャージングリレー７４，７８は、共通の入力信号（出力信号ＤＯ１）に応じて、導通及び開放が逆に動作される。
【００４１】
ついで、図４を参照して、流転検知装置２７の動作を説明する。図４は、列車１２の留置に伴う各種状態を示すタイミングチャートである。
【００４２】
図４において、横軸に時間をとり、縦軸に、上から下へ順に、列車１２の実速度、電源操作のオン／オフ、出力信号ＤＯ１のハイ／ロー、ＡＴＣ車上制御装置２２の電源オン／オフの各状態をとっている。
【００４３】
図４に示すように、まず、列車１２が移動し減速して留置位置に停車されるまでの動き流転検知装置２７の動作を説明する。電源部５０は、車上装置２０の各部への電源電力の供給（ＤＣ２４［Ｖ］）を行っており、ＤＣ／ＤＣコンバータ７２を介して、分配回路６２及びＰＬＤ７１に電源供給され、歯車ＧＥ１の回転が検知されている。
【００４４】
図４の実速度に示すように、列車１２の実速度は、留置位置までの移動走行時に例えば所定速度とされ、減速して留置位置への停車とともに０［ｋｍ／ｈ］となる。列車１２の移動走行時に、歯車ＧＥ１が回転されているため、速度センサ６１１，６１２，６１３からの入力信号ＤＩ１，ＤＩ２，ＤＩ３の検知パターンが周期的に変化しており、ＰＬＤ７１がローの出力信号ＤＯ１を生成して出力する。このため、チャージングリレー７４が開放され、チャージングリレー７８が導通され、電源キャパシタ７６の電荷は、抵抗７９を介してグラウンドＧに放電される。
【００４５】
ついで、列車１２が停止を開始してからの流転検知装置２７の動作を説明する。列車１２の停車時に、入力信号ＤＩ１，ＤＩ２，ＤＩ３の検出パターンも停止され、ＰＬＤ７１が当該検出パターンを保持してハイの出力信号ＤＯ１を生成して出力する。このため、チャージングリレー７８が開放され、チャージングリレー７４が導通され、電源キャパシタ７６は、電源部５０から供給される電源電力により、充電される。
【００４６】
そして、図４の電源操作に示すように、停車開始から所定時間後に、列車１２の乗務員によるＡＴＣ車上制御装置２２への電源オフ操作がなされる。この所定時間は、電源キャパシタ７６の充電時間（例えば２分程度）となる。このため、ＡＴＣ車上制御装置２２が、その表示部（図示略）に、列車１２の停車から電源キャパシタ７６の充電時間以後に、電源オフ操作を行うことを促す表示情報を表示させる構成としてもよい。
【００４７】
電源のオフ操作に応じて、例えば１分程度の所定時間後に、電源部５０からＡＴＣ車上制御装置２２及び流転検知装置２７への電源電力供給が停止され、図４のＡＴＣ車上制御装置２２（電源）の実線に示すように、ＡＴＣ車上制御装置２２が電源オフされる。このため、充電済の電源キャパシタ７６の電荷は、整流器７７及びＤＣ／ＤＣコンバータ７２を介して、直流の電源電力を分配回路６２及びＰＬＤ７１へ供給される。電源キャパシタ７６は、例えば、分配回路６２及びＰＬＤ７１への電源電力供給を数十時間保持できる電荷量に充電されるものとする。
【００４８】
ついで、列車１２の留置位置への停車中に、流転が発生して、列車が所定距離移動して停止する場合の流転検知装置２７の動作を説明する。図４の実速度に示すように、列車１２の停車後、流転が発生した場合に、列車１２の実速度が少し上昇し、減速して０［ｋｍ／ｈ］に戻る。図４の出力信号ＤＯ１（実線）に示すように、ＰＬＤ７１は、停車後に入力されている入力信号ＤＩ１，ＤＩ２，ＤＩ３の検知パターンが、保持している停車時の（ＤＩ１，ＤＩ２，ＤＩ３）の検知パターンから変化したか否かを判別し、例えば時刻Ｔ１において、列車１２の流転発生に応じて検知パターンが変化した場合に、列車１２が動いた（流転した）ことを示すローの出力信号ＤＯ１を生成して出力する。
【００４９】
ローの出力信号ＤＯ１に応じて、チャージングリレー７４が開放され、チャージングリレー７８が導通され、電源キャパシタ７６は、抵抗７９に対して放電し、分配回路６２及びＰＬＤ７１に対しての放電（電源電力供給）を停止する。ＰＬＤ７１には電源供給されないが、ＰＬＤ７１の出力信号ＤＯ１がローのまま保持される。
【００５０】
ついで、列車１２の停車後の初期起動（再起動）における流転検知装置２７の動作を説明する。図４の電源操作に示すように、乗務員により再度電源オン操作が行われる。図４の出力信号ＤＯ１（実線）に示すように、ローの出力信号ＤＯ１が、再度電源電力供給されているＡＴＣ車上制御装置２２に入力される。図４のＡＴＣ車上制御装置２２（電源）の実線に示すように、ＡＴＣ車上制御装置２２は、電源オン操作に応じて再起動されて電源部５０から電源電力が供給され、再起動後の時刻Ｔ２に、入力されている出力信号ＤＯ１に基づいて、列車１２の流転の発生の有無を判定し、その判定結果を内部の記憶部（図示略）に記憶し、また無線通信部２１を介して当該判定結果を地上側装置３０に適宜送信する。例えば、ＡＴＣ車上制御装置２２は、入力された出力信号ＤＯ１がローである場合に、列車１２の留置位置への停車後に流転が発生したと判定する。
【００５１】
図４の出力信号ＤＯ１（点線）に示すように、列車１２の後の停車後の流転が発生しない場合には、列車１２の留置位置への停車後、ＡＴＣ車上制御装置２２が再起動された後も、出力信号ＤＯ１がハイのままとなる。この場合、ＡＴＣ車上制御装置２２は、時刻Ｔ２に入力された出力信号ＤＯ１がハイであるので、列車１２の留置位置への停車後に流転が発生しなかったと判定する。
【００５２】
このように、流転検知部７０は、流転検知装置２７の故障や、流転の発生後の初期状態（再起動）において、出力信号ＤＯ１が、電源キャパシタ７６の抵抗７９への放電側（ロー）に働くフェイルセーフ回路で構成されている。
【００５３】
なお、図４のＡＴＣ車上制御装置２２（電源）の点線に示すように、列車１２の留置位置への停車後、ＡＴＣ車上制御装置２２が電源オフされることなく、常時電源オンされる構成としてもよい。この構成においては、出力信号ＤＯ１が、常時ＡＴＣ車上制御装置２２に入力される。このため、ＡＴＣ車上制御装置２２は、時刻Ｔ１に、入力された出力信号ＤＯ１に基づいて、列車１２の流転の発生の有無を判定し、その判定結果を記憶し、また無線通信部２１を介して当該判定結果を地上側装置３０に適宜送信する。地上側装置３０は、判定結果を列車１２などの列車のＡＴＣ車上制御装置２２から受信し、当該判定結果に基づいて列車１２などの列車の流転の発生の有無を管理する。なお、ＡＴＣ車上制御装置２２は、出力信号ＤＯ１をそのまま地上側装置３０へ無線送信し、地上側装置３０が受信した出力信号ＤＯ１に基づいて、列車１２の流転の発生の有無を判定する構成としてもよい。
【００５４】
以上、本実施の形態によれば、列車１２の車上に設けられる流転検知装置２７は、列車１２の車軸の歯車ＧＥ１の回転を検知し当該回転の検知情報を出力する回転検知部６０と、回転の検知情報から列車１２の停車中における流転を検知し当該流転の検知情報を出力する流転検知部７０と、を備える。このため、列車１２の車上の回転検知部６０及び流転検知部７０を用いて、地上設備を用いることなく、列車１２の停車中における流転を検知できる。また、回転検知部６０及び流転検知部７０は、摩耗部品がなく、摩耗による装置構成の劣化を防ぐことができる。
【００５５】
また、流転検知部７０（ＰＬＤ７１）は、列車１２の停車に応じてハイとなり、列車１２の流転の検知に応じてローとなる流転の検知情報（出力信号ＤＯ１）を出力する。このため、流転検知装置２７の故障や、流転の発生後の初期状態（再起動）において、流転の検知情報（出力信号ＤＯ１）が、流転の発生側（電源キャパシタ７６の抵抗７９への放電側、障害側）に働きフェイルセーフで機能できる。
【００５６】
また、流転検知部７０（ＰＬＤ７１）は、流転の検知後、当該流転の検知を示す流転の検知情報（ローの出力信号ＤＯ１）の出力を保持する。このため、流転の検知後に再度停車したとしても、流転の検知情報（出力信号ＤＯ１）がローのまま保持され、発生した流転の発生を正確に検知できる。
【００５７】
また、列車１２は、流転検知装置２７を有する車上装置２０と、車上装置２０に電源電力を供給する電源部５０と、を備える。流転検知装置２７は、回転検知部６０と、流転検知部７０と、回転検知部６０及び流転検知部７０に電源電力を供給する電源キャパシタ７６と、回転の検知情報に基づく列車１２の停車後、電源部５０のオフ時に、流転の検知情報に応じて、電源キャパシタ７６に回転検知部６０（分配回路６２）及び流転検知部７０（ＰＬＤ７１）へ電源電力を供給させる電力供給制御手段（ＤＣ／ＤＣコンバータ７２、整流器７３，７７、チャージングリレー７４，７８、抵抗７５，７９、電源キャパシタ７６、接続部８０）と、を備える。このため、列車１２を留置位置などに停車し、電源部５０の電力供給をオフした後、電源キャパシタ７６の電力供給により、列車１２の流転を検知できる。さらに、電源部５０の電力供給をオフすることで、消費電力を低減できる。
【００５８】
また、電力供給制御手段（ＤＣ／ＤＣコンバータ７２、整流器７３，７７、チャージングリレー７４，７８、抵抗７５，７９、電源キャパシタ７６、接続部８０）は、回転の検知情報に基づく列車１２の停車後に、電源部５０の電力供給により電源キャパシタ７６を充電し、電源部５０のオフ後に、電源キャパシタ７６に回転検知部６０（分配回路６２）及び流転検知部７０（ＰＬＤ７１）へ電源電力を供給させる。このため、列車１２の停車後に、電源キャパシタ７６を充電でき、電源キャパシタ７６の電力供給により、列車１２の流転を検知でき、未充電の電源キャパシタ７６の電力供給により列車１２の流転を検知できなくなることを防ぐことができる。
【００５９】
また、車上装置２０は、流転の検知情報から流転の発生の有無を示す流転の判定情報（判定結果）を生成するＡＴＣ車上制御装置２２と、生成された流転の判定情報を、無線通信により地上側装置３０へ送信する無線通信部２１と、を備える。このため、流転の発生の有無を示す流転の判定情報を地上側装置３０に確実に送信でき、列車１２の流転の判定情報を地上側（地上側装置３０、列車運行管理システム４０など）で管理でき、当該流転の判定情報を再起動時などの列車１２の在線位置の整合判定に活用できる。
【００６０】
（変形例）
上記実施の形態の変形例を説明する。上記実施の形態では、ＡＴＣ車上制御装置２２が、列車１２に流転が発生したか否かのみを管理する構成であったが、本変形例では、さらに、列車１２の流転時にどれだけ移動したかを管理する構成である。
【００６１】
本変形例においても、図１の列車制御システム１と、図３の流転検知装置２７と、を用いるものとし、異なる部分を主として説明する。
【００６２】
本変形例において、ＰＬＤ７１は、入力信号ＤＩ１，ＤＩ２，ＤＩ３の入力端子と、出力信号ＤＯ１の出力端子と、入力信号ＤＩ１，ＤＩ２，ＤＩ３の検知パターンの変化した回数を計数するカウンタの機能と、そのカウント値の出力端子と、を含む。カウント値の出力端子は、ＡＴＣ車上制御装置２２に接続されているものとする。
【００６３】
本変形例のＰＬＤ７１は、列車１２の留置位置への移動走行後、入力信号ＤＩ１，ＤＩ２，ＤＩ３に変化がなくなった（列車１２が停車した）場合に、停車時の（ＤＩ１，ＤＩ２，ＤＩ３）の検知パターンを保持するのは、実施の形態と同様である。そして、電源キャパシタ７６が充電され、電源オフ操作後に、電源キャパシタ７６から分配回路６２及びＰＬＤ７１に電源電力が供給され、ＰＬＤ７１は、入力信号ＤＩ１，ＤＩ２，ＤＩ３に変化がでた（列車１２が流転した）場合に、カウンタにより、新たに入力された入力信号ＤＩ１，ＤＩ２，ＤＩ３の検知パターンの変化の回数をカウントする。
【００６４】
ただし、流転発生後も、ＰＬＤ７１は、出力信号ＤＯ１をハイのままとし、チャージングリレー７４が導通されてチャージングリレー７８が開放されたままにされ、電源キャパシタ７６から分配回路６２及びＰＬＤ７１に電源電力が供給される。
【００６５】
そして、電源オン操作により電源部５０から車上装置２０（ＡＴＣ車上制御装置２２）に電源電力が供給され、ＰＬＤ７１は、カウンタのカウント値をＡＴＣ車上制御装置２２に出力する。ＡＴＣ車上制御装置２２は、入力されたカウント値に応じて、流転の発生の有無を判定し、流転が発生した場合の停車位置（留置位置）からの列車１２の移動距離を算出し、その判定結果及び移動距離を記憶し、また無線通信部２１を介して当該判定結果及び移動距離を地上側装置３０に適宜送信する。なお、ＡＴＣ車上制御装置２２は、ＰＬＤ７１のカウント値をそのまま地上側装置３０へ無線送信し、地上側装置３０が受信したカウント値に基づいて、列車１２の流転の発生の有無を判定し移動距離を算出する構成としてもよい。
【００６６】
以上、本変形例によれば、流転検知部７０（ＰＬＤ７１）は、歯車ＧＥ１の回転の検知情報から列車１２の停車後の回転の変化量（検出パターンの変化の回数）をカウントし、当該回転の変化量を出力する。このため、回転の変化量に基づいて列車の移動距離を算出でき、流転時の列車の移動距離を取得及び管理できる。
【００６７】
なお、本発明は、上記実施の形態及び変形例に限定されることなく、本発明の趣旨を逸脱しない範囲において、種々の改良並びに設計の変更を行ってもよい。
【００６８】
例えば、上記実施の形態及び変形例では、ＬＣＸを使用した無線式ＡＴＣシステムの列車制御システム１における車上システム（車上装置２０（流転検知装置２７）、電源部５０）について説明したが、これに限定されるものではない。ＡＴＡＣＳ（Advanced Train Administration and Communications System）やＣＢＴＣ（Communications-Based Train Control）などの空間波を使った無線式ＡＴＣシステムなど、軌道回路による列車検知の仕組みを持たない列車制御システムについて、上記実施の形態又は変形例の車上システムを適用する構成としてもよい。
【００６９】
また、上記実施の形態及び変形例における列車制御システム１の各構成要素の細部構成及び細部動作に関しては、本発明の趣旨を逸脱することのない範囲で適宜変更可能であることは勿論である。
【符号の説明】
【００７０】
１  列車制御システム
１０  軌道
１１Ａ，１１Ｂ  ＬＣＸケーブル
１２  列車
２  車上システム
２０  車上装置
２１  無線通信部
２２  ＡＴＣ車上制御装置
２３  ブレーキ制御装置
２４ａ  車上子
２４  送受信器
２５  速度発電機
２６  列車無線通話器
２７  流転検知装置
５０  電源部
６０  回転検知部
６１１，６１２，６１３  速度センサ
６２  分配回路
７０  流転検知部
７１  ＰＬＤ
７２  ＤＣ／ＤＣコンバータ
７３，７７  整流器
７４，７８  チャージングリレー
７５，７９  抵抗
７６  電源キャパシタ
８０  接続部
３０  地上側装置
３１  無線通信部
３２  ＡＴＣ論理部
４０  列車運行管理システム
【図１】
2020058157.tif 000003
【図２】
2020058157.tif 000004
【図３】
2020058157.tif 000005
【図４】
2020058157.tif 000006